(57)【特許請求の範囲】
【請求項１】
第１の基板層及び第２の基板層を含む有機発光デバイス（ＯＬＥＤ）であって、
当該デバイスは更に、前記第１の基板層と前記第２の基板層との間に配置された、少なくとも前記第１のＯＬＥＤ組立体及び第２のＯＬＥＤ組立体を含み、
前記第１のＯＬＥＤ組立体及び前記第２のＯＬＥＤ組立体の各々は、第１の導電層と、第２の導電層と、前記第１の導電層と前記第２の導電層との間に配置された有機発光層と、を含み、
前記第１のＯＬＥＤ組立体及び前記第２のＯＬＥＤ組立体の各々は、前記第１の基板層及び前記第２の基板層の少なくとも一方に関して、ゼロでない角度を形成するように配置され、
前記第１の基板層及び前記第２の基板層の少なくとも一方は、導電性であり、
前記第１のＯＬＥＤ組立体と前記第２のＯＬＥＤ組立体との間に配置された、波長変換要素を更に含む、
有機発光デバイス。
【請求項２】
前記第１の基板層及び前記第２の基板層の少なくとも一方は透明である、請求項１に記載の有機発光デバイス。
【請求項３】
前記第１のＯＬＥＤ組立体及び前記第２のＯＬＥＤ組立体の各々は、前記第１の基板層及び前記第２の基板層の少なくとも一方に関して、３０度より大きい角度を形成するよう配置される、請求項１又は２に記載の有機発光デバイス。
【請求項４】
前記第１のＯＬＥＤ組立体及び前記第２のＯＬＥＤ組立体の各々は、前記第１の基板層及び前記第２の基板層の少なくとも一方に関して、９０度の角度を形成するよう配置される、請求項３に記載の有機発光デバイス。
【請求項５】
前記第１の基板層は、前記第１の導電層と電気的に接続する、第１の電極を備え、
前記第２の基板層は、前記第２の導電層と電気的に接続する、第２の電極を備える、
請求項１乃至４のいずれか一項に記載の有機発光デバイス。
【請求項６】
前記第１の電極及び前記第２の電極の少なくとも一方は、パターン化される、請求項５に記載の有機発光デバイス。
【請求項７】
前記発光層により放出される光の少なくとも一部を拡散するように配置された、少なくとも１つの拡散層を更に含む、請求項１乃至６のいずれか一項に記載の有機発光デバイス。
【請求項８】
前記発光層により放出された光の少なくとも一部を、前記第１の基板層又は前記第２の基板層へと向かう方向に、向け直すよう配置された、少なくとも１つの光リダイレクト構造を更に含む、請求項１乃至７のいずれか一項に記載の有機発光デバイス。
【請求項９】
前記第１のＯＬＥＤ組立体又は前記第２のＯＬＥＤ組立体により放出された光の少なくとも一部を、前記波長変換要素へと導くように配置された、導光体を更に含む、請求項１に記載の有機発光デバイス。
【請求項１０】
請求項１乃至９のいずれか一項に記載の有機発光デバイスを含む光センサデバイス。
【発明の詳細な説明】
【技術分野】
【０００１】
本発明は、有機発光デバイス（ＯＬＥＤ）に関する。
【背景技術】
【０００２】
高解像度、高品質画像及び背面光源からの独立により、有機発光デバイス（ＯＬＥＤｓ）は、ディスプレイ及び照明用途において、かなり注目されている。
【０００３】
ＯＬＥＤは通常、アノード層、カソード層及び、前記アノード層と前記カソード層との間に配置された有機エレクトロルミネセント層を含む。電位の印加で、光がデバイスから放出される。
【０００４】
個々のＯＬＥＤにより放出される光の強度は、より高い強度放出が必要とされる、ある用途に関して、不十分であり得る。光の強度及びそれ故のデバイスの性能を改善するために、個々のＯＬＥＤｓは、積み重ねて配置され得る。
【０００５】
そのような配置は、例えば、ＵＳ６，６９３，２９６で開示され、基板及び複数のＯＬＥＤデバイスを含むＯＬＥＤ装置が開示される。複数のＯＬＥＤデバイスの各々は、対応する間隔を介した底部電極の端部に亘って伸びる、少なくとも１つの有機層を含む。
【０００６】
ＵＳ６，６９３，２９６のＯＬＥＤ装置と関連した１つの問題は、電極の高い吸光度により、光の超過吸収が、積層内で起こるかもしれないということである。結果として、全体の光強度は減少し得る。
【０００７】
したがって、技術分野において、特に幅広い用途での使用に関して、発せられた光の、高められた光強度を供するＯＬＥＤデバイスを供する要求がある。
【発明の概要】
【０００８】
本発明の目的は、上述された問題を少なくとも部分的に克服し、技術分野での要求に対処することである。
【０００９】
具体的には、増加した光強度を許す有機発光デバイスを供することが、本発明の目的である。
【００１０】
一様態によると、本発明は、第１の基板層と第２の基板層とを含む、有機発光デバイス（ＯＬＥＤ）に関する。デバイスは更に、前記第１の基板層と前記第２の基板層との間に配置された、少なくとも第１のＯＬＥＤの組立体（ａｓｓｅｍｂｌｙ）及び第２のＯＬＥＤの組立体を含む。前記第１のＯＬＥＤの組立体及び前記第２のＯＬＥＤの組立体の各々は、第１の導電層と、第２の導電層と、前記第１の導電層と前記第２の導電層との間に配置された有機発光層と、を含む。前記第１のＯＬＥＤの組立体及び前記第２のＯＬＥＤ組立体の各々は、前記第１の基板層及び前記第２の基板層の少なくとも１つに関して、ゼロでない角度（ｎｏｎ−ｚｅｒｏ  ａｎｇｌｅ）を為すように配置される。
【００１１】
本発明は、いくつかのＯＬＥＤ組立体が、基板層に対してゼロでない角度を形成するように、平衡に配置され得るので、上記のデバイスが、発光構造のより高い密度、故に、単位表面積あたりの改善された光強度を許すという認識に基づいている。
【００１２】
さらにこの配置において、積層内の光の吸収といった、垂直に積層されたＯＬＥＤに関連した不利が避けられる。
【００１３】
少なくとも１つのＯＬＥＤ組立体から放出された光は、第１の基板層又は第２の基板層のいずれかを通じて又は両方を通じて、放出される。したがって、第１の基板層及び第２の基板層の少なくとも１つは、透明であっても良い。
【００１４】
したがって、光を、単一の表面から又はいくつかの表面からのいずれかから放出することができ、それにより、ＯＬＥＤデバイスの全体の光強度を高める。異なる表面から、様々な発光比率を得ることも可能である。
【００１５】
さらに、ＯＬＥＤ組立体と基板との間の角度は、ＯＬＥＤデバイスで達成され得る、ＯＬＥＤ組立体の密度を決定する。前記密度は、前記ＯＬＥＤ組立体の長さと、隣接ＯＬＥＤ組立体間の距離と、の間の割合として表すことができる。この割合は、１より大きいのが有利であり得、より有利には、２と５との間に及ぶ。
【００１６】
さらに、基板とＯＬＥＤ組立体との間を、適切な大きい角度に選択することにより、高い出力強度と高い透明度とを兼ねるＯＬＥＤデバイスを達成することが可能である。これにより、高い光強度により目がくらむことなく、オン状態の基板を通じて見ることが可能となる。さらに、前述のような配置は、制御された方向下のみで入る日光といった、外因からの光を許し、一方で、他の制御された方向に、制御された量の光を放出することができる。
【００１７】
この目的を達成するために、第１のＯＬＥＤ組立体と第２のＯＬＥＤ組立体との各々は、第１の基板層及び第２の基板層の少なくとも１つに関して、３０度より大きい角度を形成するよう、配置されても良い。
【００１８】
基板層は通常、平行に配置され、ＯＬＥＤ組立体と基板層との間の角度を変えることにより、放出された光の方向を、調節することができる。したがって、光の放出を方向付けることができ、制御することができる。
【００１９】
好ましくは、第１のＯＬＥＤ組立体及び第２のＯＬＥＤ組立体の各々は、第１の基板層及び第２の基板層の少なくとも１つに関して、９０度の角度を形成するよう配置されても良い。
【００２０】
これにより、いくつかのＯＬＥＤ組立体を平行に配置することができるので、単位表面積あたりの、増加された光強度を許す。
【００２１】
したがって、第１のＯＬＥＤ組立体及び第２のＯＬＥＤ組立体の発光層の各々は、通常、互いに向かい合うように配置され、光は、発光層に対して平行に放出され得る。
【００２２】
これにより、複合的な発光構造が許される；即ち、ＯＬＥＤ組立体は、基板層間に配置され、出力光の光強度は、それ故、改善される。
【００２３】
本発明によると、第１の基板層と第２の基板層の少なくとも１つは、導電性である。
【００２４】
基板層は、それ自身が導電性であっても良いし、電極若しくは導電性フィルムと共に供されても良い。
【００２５】
通常、第１の基板層は、第１の導電層と電気的に接続する第１の電極と共に供され得る。第２の基板層は、第２の導電層と電気的に接続する第２の電極と共に供され得る。
【００２６】
したがって、少なくとも１つのアノードと少なくとも１つのカソードとが、基板層上に形成される。
【００２７】
実施様態において、第１の電極及び第２の電極の少なくとも１つが、パターニングされても（ｐａｔｔｅｒｎｅｄ）良い。
【００２８】
これにより、デバイスの全体の性能が改善されるように、多数のＯＬＥＤ組立体を直列に（ｉｎ  ｓｅｒｉｅｓ）接続することが許される。さらに、これにより、個々のＯＬＥＤ組立体の１つ以上が単独で対処される（ａｄｄｒｅｓｓｅｄ  ｓｅｐａｒａｔｅｌｙ）ことが、許される。
【００２９】
本発明の他の実施様態において、デバイスは更に、発光層により放出された光の少なくとも一部を拡散するよう配置された、少なくとも１つの拡散層を含んでも良い。
【００３０】
拡散層は、発光層により放出された光を拡散し、第１の基板層及び／又は第２の基板層からの光出力は、それにより改善される。結果として、出力光は、均一になり、拡散するであろう。
【００３１】
デバイスは更に、発光層により放出された光の少なくとも一部を、第１の基板層又は第２の基板層へと向かう方向に、向け直すよう配置された、少なくとも１つの光リダイレクト構造（ｌｉｇｈｔ  ｒｅｄｉｒｅｃｔｉｎｇ  ｓｔｒｕｃｔｕｒｅ）を含んでも良い。
【００３２】
光リダイレクト構造により、光の増加された再配分（ｒｅｄｉｓｔｒｉｂｕｔｉｏｎ）及び基板層の少なくとも１つからの高められた光出力が許される。
【００３３】
所望の波長分布を有する光の出力を供するために、本発明の有機発光デバイスは更に、第１のＯＬＥＥＤ組立体と第２のＯＬＥＤ組立体との間に配置された、波長変換要素を含んでも良い。
【００３４】
波長変換要素は、所謂、「リモートフォスファ（ｒｅｍｏｔｅ  ｐｈｏｓｐｈｏｒ）」の適用を許す、ＯＬＥＤ組立体間で、該ＯＬＥＤ組立体から間隙を介して、配置されても良い。この配置は、光質（好ましくないピーク輝度、色彩管理）が、改善されることを許し、色を、波長変換材料の特性を変えることにより、制御することができる。さらに、光源に直接取り付けられない波長変換要素の使用は、波長変換材料が耐えることができる、温度及び光束についての要求を緩和する。
【００３５】
実施様態において、デバイスは更に、第１のＯＬＥＤ組立体又は第２のＯＬＥＤ組立体により放出された光の少なくとも一部を、波長変換要素へと導くよう配置された、導光体（ｌｉｇｈｔ  ｇｕｉｄｅ）を含んでも良い。
【００３６】
導光体は、波長変換要素に光を導くよう、かつ、波長変換要素からの光を再循環する役目を果たす。
【００３７】
本発明の有機発光デバイスは、例えば、装飾照明、店用照明及び雰囲気作りのための照明で使用することができ、幅広い用途に適している。
【００３８】
本発明のこれら及び他の様態は、この後述べられる実施形態を参照して、明らかになり、説明されるであろう。
【図面の簡単な説明】
【００３９】
【図１】図１は、本発明の一実施形態に係る有機発光デバイスの垂直断面図である。
【図２】図２は、図１の有機発光デバイスの平面図である。
【図３】図３は、少なくとも１つの基板層の少なくとも一部が反射性である、本発明の実施形態に係る有機発光デバイスの例を示す。
【図４】図４は、本発明の有機発光デバイスのＯＬＥＤ組立体の種々の構成を説明する。
【図５】図５は、ＯＬＥＤ組立体の各々からの発光が、異なる方向で方向付けられる、本発明の他の実施形態を説明する。
【図６】図６は、本発明の実施形態の、例となるＯＬＥＤ組立体構成の、平面図を示す。
【図７】図７は、第１の導電層及び第２の導電層が、各々、第１の導電層及び第２の導電層と、電気的に接続する、本発明の一実施形態を説明する。
【図８】図８は、第１の基板層と第２の基板層の少なくとも１つがパターニングされる、本発明の一例となる実施形態を説明する。
【図９】図９は、少なくとも１つの拡散層を含む、本発明の有機発光デバイスの一実施形態を説明する。
【図１０】図１０は、少なくとも１つの反射層を含む、本発明の有機発光デバイスの一実施形態を説明する。
【図１１】図１１は、少なくとも１つのビームスプリッターを含む、本発明の有機発光デバイスの一実施形態を説明する。
【図１２】図１２は、有機発光デバイスが、波長変換要素及び導光体を含む、本発明の他の実施形態を説明する。
【発明を実施するための形態】
【００４０】
本発明に係る有機発光デバイス１００の一実施形態が、図１で説明され、第１の基板層１０１及び第２の基板層１０２を含む。デバイスは更に、第１の基板層１０１と第２の基板層１０２との間に配置された、第１のＯＬＥＤ組立体１０３及び第２のＯＬＥＤ組立体１０４を少なくとも含む。第１のＯＬＥＤ組立体１０３及び第２のＯＬＥＤ組立体１０４の各々は、第１の導電層１０５と、第２の導電層１０６と、第１の導電層１０５と第２の導電層１０６との間に配置された有機発光層１０７と、を含む。
【００４１】
図１において、第１の導電層１０５並びに第２の導電層１０６及び有機発光層１０７は、第１のＯＬＥＤ組立体１０３に関してのみに示されるが、第２のＯＬＥＤ組立体１０４も同様の構造を有する。
【００４２】
第１のＯＬＥＤ組立体１０３及び第２のＯＬＥＤ組立体１０４の各々は、各々、第１の基板層１０１及び第２の基板層１０２の少なくとも１つに関して、ゼロでない角度を形成するよう配置される。
【００４３】
ここで、ＯＬＥＤ組立体１０３及びＯＬＥＤ組立体１０４は、基板層１０１及び基板層１０２に鉛直に配置される。
【００４４】
電圧が印加されるとき、電流は、デバイス１００を通じて流れ始める。電流は、第１の導電層１０５から第２の導電層１０６へと流れる。したがって、負に帯電した電子は、第２の導電層１０６から発光層１０７へと移動する。同時に、通常ホールとして参照される、正電荷は、第１の導電層１０５から発光層１０７へと移動する。正電荷及び負電荷が会合するとき、それらは再結合し、光子（光）を生み出す。
【００４５】
この実施形態において、第１の導電層１０５は、アノード層として役目を果たし、第２の導電層１０６は、カソード層として役目を果たす。しかしながら、第１の導電層１０５がカソードとして役目を果たし、第２の導電層１０６がアノードとして役目を果たしても良い。
【００４６】
導電層１０５及び１０６の少なくとも１つは、発生した光子に対して透過的であり、光は、あるＯＬＥＤ組立体から別のＯＬＥＤ組立体に向かって放出されるであろう。
【００４７】
通常、第１及び第２のＯＬＥＤ組立体は、互いに距離ｄで、配置され得る。この距離は、用途及び達成されるべき所望の照明効果に依存して、変えることができる。
【００４８】
ＯＬＥＤ組立体１０３及び１０５の少なくとも１つからの光は、ＯＬＥＤ間で定義された領域で混合され、第１の基板層１０１若しくは第２の基板層１０２のいずれかを通じて、又は、その両方を通じて、放出される。
【００４９】
したがって、第１の基板層１０１及び第２の基板層１０２の少なくとも１つは透明であることができ、即ち、良好な光透過率を有する材料を含む。
【００５０】
したがって、光は、どちらかの単一の表面から又はいくつかの表面から放出することができ、それにより、ＯＬＥＤデバイスの全体の光強度を高めることができる。異なる表面から様々な発光比率を得ることも可能である。
【００５１】
図２で説明されるように、本発明のデバイス２００において、光は、第１の基板層２０１及び第２の基板層２０２の両方から、他に、横方向に、即ち、基板層２０１及び２０２から放出された光に鉛直な方向に、放出されても良い。
【００５２】
基板層２０１及び２０２の長さ、故に、ＯＬＥＤデバイス２００の長さ、ｌ、は、所望の用途に依存し、１０ｃｍから数メートルまでの範囲内であっても良い。
【００５３】
ＯＬＥＤ組立体の長さ；即ち、第１の基板層２０１と第２の基板層２０２との間の距離は、１ｃｍから２０ｃｍまでの、例えば、５ｃｍから１５ｃｍまでの範囲内であっても良い。
【００５４】
個々のＯＬＥＤ組立体間の距離、ｄ、に対するＯＬＥＤ組立体の長さの割合は、通常、１より大きく、例えば２から５までである。距離、ｄ、に対するＯＬＥＤ組立体の長さの割合は、光の強度を決定するとき及び前述の組立体を通って伝わった光の角度範囲を決定するときに、重要である。
【００５５】
前記第１の基板層１０１及び前記第２の基板層１０２の少なくとも１つの少なくとも一部は、図３で説明されるように、反射性であっても良い。
【００５６】
これにより、発光が、所望の照明効果及び用途に依存して、方向付けられ、制御されるよう許される。
【００５７】
より低い透過性の、高い強度の発光デバイスが望まれる状況において、第２の基板層１０３が透明であって；第１の基板層１０１は反射性材料３０１を有して供与されても良い。これはまだ、可視範囲の特定の部分において、部分的に透明、例えば５０％透過性又は反射性である（図３ａ）。このように、デバイスからの発光は、一方向で最適化される。
【００５８】
実施形態において、第２の基板層１０２は透明であり、第１の基板層１０１は、反射部３０１及び透過部３０２（図３ｂ）を含んでも良い。さらに、第１の基板層１０１及び第２の基板層１０２が、反射部３０１及び透過部３０２を含んでも良い（図３ｃ）。
【００５９】
したがって、発光は、用途及び所望の透明度に依存して、方向付けることができ、変えることができる。
【００６０】
述べられたように、第１のＯＬＥＤ組立体及び第２のＯＬＥＤ組立体は、第１の基板層及び第２の基板層の少なくとも１つに関連して、ゼロでない角度を形成するよう配置されるべきである。
【００６１】
通常、第１のＯＬＥＤ組立体及び第２のＯＬＥＤ組立体の斧のは、第１の基板層及び第２の基板層の少なくとも１つに関連して、３０度より大きい角度を形成するよう配置され得る。そのような配置は、図４で説明され、ＯＬＥＤ組立体４０３及び４０４は、基板層４０１及び４０２に対して、鉛直でなく配列される。
【００６２】
この配列において、放出された光の方向は、基板層に関して、調節されても良い。さらに、基板層４０１及び４０２に関する伝達角度は、制御されても良い。
【００６３】
例えば、もしデバイスからの最大の放出角度が、実質的に、最大の伝達角度と異なるなら、人は高い光強度により目がくらむことなく、オン状態にあるデバイスを通じて見ることができる。さらに、そのような配置は、制御された方向下のみで入る日光といった、外因からの光を許し、一方で、他の制御された方向に、制御された量の光を放出することができる。したがって、外部からの光源及びデバイスに関連した光源の両方が、効果的に統合される。
【００６４】
好ましい実施形態において、図５で説明されるように、ＯＬＥＤ組立体５０３及び５０４は、基板層５０１及び５０２に関して、９０度の角度を形成するよう配置される。
【００６５】
したがって、第１のＯＬＥＤ５０３及び第２のＯＬＥＤ５０４の、発光層５０７及び５０７’の各々は、互いに向き合うように配置され、光は、発光層５０７に平行に放出されるであろう。
【００６６】
そのような実施形態において、いくつかのＯＬＥＤ組立体を、基板層に鉛直に積層し、単位面積あたりのより高い光強度を達成することが可能である。
【００６７】
ＯＬＥＤ組立体５０３及び５０４からの発光は、種々の方向で制御され、方向付けられても良い。例えば、第１の導電層５０５及び第２の導電層５０６の両方は、発生した光に対して透過性であっても良い（図５ａ）。
【００６８】
さらに、第１の導電層５０５及び第２の導電層５０６の１つだけ、光を放出するように配置されても良い。即ち、ＯＬＥＤ組立体５０３及び５０４は、単一サイドの放出要素（ｓｉｎｇｌｅ  ｓｉｄｅ  ｅｍｉｔｔｉｎｇ  ｅｌｅｍｅｎｔｓ）である。したがって、光は同じ方向で（図５ｂ）放出されても良いし、又は反対の方向で（図５ｃ）放出されても良い。したがって、導電層５０５及び５０６の一方だけ、発生した光に対して透過性である。
【００６９】
実施形態において、完全に透明なＯＬＥＤ組立体５０３（透明な導電層を含む）と、単一サイドのＯＬＥＤ組立体５０４とが、使用されても良い（図５ｄ）。
【００７０】
さらに、図５ｅで説明されるように、多色放出ＯＬＥＤ組立体５０３及び５０４が使用されても良い。したがって、種々の色彩効果を達成することができる。
【００７１】
さらに、文章、写真又は動画でさえ、といった、情報を表示するために、ピクセル化されたＯＬＥＤデバイス５０３及び５０４を使用することが可能である。
【００７２】
図６は、基板層に鉛直に（図６ｂ）及び基板層に非鉛直に（図６ａ及び図６ｃ）配置された、ＯＬＥＤ組立体の、一例の構成の平面図を説明する。
【００７３】
通常、第１の基板層及び第２の基板層の少なくとも１つは、導電性である。
【００７４】
したがって、基板層の一方は、それ自身が導電性であっても良く、例えば導電性フィルムの電極と共に供されても良い。
【００７５】
したがって、例となる一実施形態において、図７で示されるように、第１の基板層７０１は、第１の導電層７０３と電気的に接続する第１の電極７０２と供され、第２の基板層７０４は、第２の導電層７０６と電気的に接続する第２の電極７０５と供される。
【００７６】
電極材料（又は基板自身が導電性であるときの基板材料）の例は、例えば、インジウムスズ酸化物（ＩＴＯ）、スズ酸化物（例えば、蛍石又はアンチモンでドープされた）、酸化亜鉛（例えば、アルミニウムでドープされた）、ポリエチレンジオキシチオフェン（ＰＥＤＯＴ）、インジウム亜鉛酸化物、いくつかの導電性金属の積層物を含む。多数の材料及び材料の組み合わせを使用することができ、これらは当業者に知られている。
【００７７】
したがって、基板層７０１及び７０４は、少なくとも１つのアノードと、少なくとも１つのカソードとを形成する。
【００７８】
実施形態において、アノード及びカソードは、各々の基板層上で交互に入れ替えられ、連続的なデバイス（ｃｏｎｓｅｃｕｔｉｖｅ  ｄｅｖｉｃｅｓ）が直列につながれても良い。したがって、基板の接触線（ｃｏｎｔａｃｔ  ｌｉｎｅｓ）に亘って輸送されるべき電流が、かなり低く済む。
【００７９】
本発明の実施形態において、図８で説明されるように、第１の電極８０１及び第２の電極８０２の少なくとも１つは、パターニングされる。
【００８０】
電極のいずれか一方がパターニングされ（図８ａ）、各々のＯＬＥＤ組立体が個別に対処されて（ｂｅ  ａｄｄｒｅｓｓｅｄ  ｓｅｐａｒａｔｅｌｙ）も良く、又は両方の電極がパターニングされても良い（図８ｂ）。後者の場合、１つより多いＯＬＥＤ組立体が、個別に対処されても良い。さらに、第１の基板層が、アノード及びカソードの両方で覆われても良い（図８ｃ）。
【００８１】
図８ｄにおいて、電極は、ＯＬＥＤｓが直列につながれるような方法で、パターニングされる。
【００８２】
ＯＬＥＤ組立体は、ＤＣ電流又はＡＣ電流のいずれかで駆動されても良い。
【００８３】
これより図９を参照して、本発明に係る発光デバイスの一例となる実施形態が説明される。
【００８４】
この実施形態において、デバイス９００は、発光層により放出された光の少なくとも一部を拡散するよう配置された、少なくとも１つの拡散層９０３を含む。
【００８５】
そのような拡散層９０３は、第１のＯＬＥＤ組立体９０１上に若しくは第２のＯＬＥＤ組立体９０２上に、又はその両方上に、配置されても良い。
【００８６】
拡散層９０３は、発光層により放出された光を拡散し、発光層に平行な光の放出が高められるよう、光抽出を増加させる役目を果たす。
【００８７】
拡散層９０３はまた、発光層に平行でない角度で放出された光の向けを変える役目を果たす反射性材料を含んでも良い。
【００８８】
拡散層９０３は、ＯＬＥＤ組立体９０１の第１の導電層からの、又は代わりに第２の導電層からの、光を受信するよう配置されても良い。
【００８９】
実施形態において、デバイス１０００は、発光層により放出された光の少なくとも一部を、第１の基板層１０００４又は第２の基板層１００５に向かう方向に、向けなおすよう配置された、少なくとも１つの光リダイレクト構造を含む（図１０）。
【００９０】
リダイレクト構造は、反射層１００３であっても良い。そのような反射層１００３は、拡散反射性、鏡面反射性又は角度に依存した反射性であっても良い。例えば、反射層１００３は、表面レリーフパターン；即ち、図１０で説明されるような、セグメント化された（ｓｅｇｍｅｎｔｅｄ）反射性構造を有する、を含んでも良い。
【００９１】
反射層１００３により、光の増加された再配分及び基板層１００４及び１００５の少なくとも１つからの高められた光出力が許される。
【００９２】
反射層の代わりに又は反射層に加えて、デバイスは、反射層と同じ機能を果たす；即ち、基板層１１０４及び１１０５からの光の向きを変え、光出力を高めるための、ビームスプリッター１１０３（図１１）を含んでも良い。
【００９３】
装飾用照明効果を高め、かつ、所望の波長分布を有する光の出力を供するために、本発明の有機発光デバイス１２００は更に、第１のＯＬＥＤ組立体１２０２と第２のＯＬＥＤ組立体１２０３との間に配置された、少なくとも１つの波長変換要素１２０１を含んでも良い。
【００９４】
ここで使用されるような「波長変換要素」なる専門用語は、第１の波長の光を吸収し、第２の、より長い波長の光の放出をもたらす、要素を参照する。光を吸収すると、材料中の電子は、より高いエネルギー準位に励起される。より高いエネルギー準位からもとに遷移（ｒｅｌａｘａｔｉｏｎ）すると、余剰のエネルギーは、吸収された光よりもより長い波長を有する光の形で、材料から放出される。したがって、前記専門用語は、蛍光性波長変換及びリン光性波長変換の両方に関連する。
【００９５】
波長変換要素１２０１は、ＯＬＥＤ組立体１２０１とＯＬＥＤ組立体１２０２との間で、通常、前記組立体から間隙を介して配置され、所謂、「リモートフォスファ（ｒｅｍｏｔｅ  ｐｈｏｓｐｈｏｒ）」の適用を許す。従来の発光デバイスにおいて、波長変換材料、即ちリン光体は、光源又はＬＥＤチップに直接取り付けられる、接着剤中に埋め込まれる。光源に直接取り付けられない、波長変換材料の使用は、波長変換材料が耐えることができる温度及び光束に関する要求を緩和する。したがって、この所謂リモートフォスファの実施形態は、低い色温度及び良好な演色評価数（ｃｏｌｏｒ  ｒｅｎｄｅｒｉｎｇ  ｉｎｄｅｘ）を許す。さらに、光質（好ましくないピーク輝度、色彩管理）を改善することができ、色を、波長変換材料の特性を変更することにより制御することができる。さらに、照明製造者は、ＬＥＤ（ｓ）の色依存性を選択することができる。
【００９６】
実施形態において、デバイス１２００は更に、第１のＯＬＥＤ組立体１２０２及び第２のＯＬＥＤ組立体１２０３により放出された光の少なくとも一部を、波長変換要素１２０３へと導くよう配置された、導光体１２０４を含む。
【００９７】
導光体１２０４は、波長変換要素１２０１からの光を導き、それを、要素１２０１０の端部（ｅｄｇｅｓ）へと集結させる役割も果たす。これにより、基板層１２０５及び１２０６から放出された光の増加された強度が許される。
【００９８】
本発明の有機発光デバイスは更に、さらなる光学部品を含んでも良い。そのようなさらなる光学部品は、例えば、基板層の少なくとも１つの上に配置される；即ち、基板層の光出力表面上に配置される、拡散層又は反射層であっても良い。そのようなさらなる光学部品は、装飾用照明効果を高めるために使用されても良い。
【００９９】
上述された種々の構成に加え、強度を増加し、種々の装飾効果を得るために、積層体の底部に及びさらに側部に、追加的な透明ＯＬＥＤ組立体を配置することも可能である。
【０１００】
本発明に係る有機発光デバイスを、いくつかの用途、例えば、例えば、装飾照明、店用照明及び雰囲気作りのための照明、で使用することができる。
【０１０１】
他の様態において、本発明は、前述されたような有機発光デバイスを含む、光センサデバイスに関する。
【０１０２】
そのような光センサデバイスは、制御ユニット、光センサ及び本発明の有機発光デバイスを含んでも良い。制御ユニットは、光センサを使用して少なくとも１つの測定を行い、少なくとも１つの測定に基づいて、個々のＯＬＥＤ要素により放出された光の強度を制御するよう、適合することができる。
【０１０３】
光センサは、有機発光デバイス内に配置される、又は、接続線といった、コネクタを介してデバイスに接続された外部デバイスとして、外側に配置される、のいずれかであっても良い。
【０１０４】
本発明のデバイスに、例えば、周囲の人々の存在及び／又は行動を測定し、測定された行動に従って照明を適合するような、別のタイプの検知手段を接続することも可能である。
【０１０５】
日又は時に基づいて、個々のＯＬＥＤ組立体により放出される光を制御することも可能である。
【０１０６】
本発明は、図面及び前述の説明で、詳細に説明され、記述されてきたが、そのような説明及び記述は、説明的又は例示的であり、制限的ではないと考えられるべきであり；本発明は開示された実施形態に制限されない。
【０１０７】
開示された実施形態の他のバリエーションが、図面、開示及び添付の特許請求の範囲の研究から、クレーム化された発明を実行するときに、当業者によって、理解され、達成され得る。例えば、使用される、ＯＬＥＤ組立体、ＯＬＥＤ要素構成、追加の光学部品及び基板層に依存して、種々の有機発光デバイスを得ることができる。本発明は、特定の有機発光構成又は特定の波長変換材料に制限されない。
【図１】
0005572693.tif 000002
【図２】
0005572693.tif 000003
【図３ａ】
0005572693.tif 000004
【図３ｂ】
0005572693.tif 000005
【図３ｃ】
0005572693.tif 000006
【図４ａ】
0005572693.tif 000007
【図４ｂ】
0005572693.tif 000008
【図４ｃ】
0005572693.tif 000009
【図４ｄ】
0005572693.tif 000010
【図５ａ】
0005572693.tif 000011
【図５ｂ】
0005572693.tif 000012
【図５ｃ】
0005572693.tif 000013
【図５ｄ】
0005572693.tif 000014
【図５ｅ】
0005572693.tif 000015
【図５ｆ】
0005572693.tif 000016
【図６ａ】
0005572693.tif 000017
【図６ｂ】
0005572693.tif 000018
【図６ｃ】
0005572693.tif 000019
【図７】
0005572693.tif 000020
【図８ａ】
0005572693.tif 000021
【図８ｂ】
0005572693.tif 000022
【図８ｃ】
0005572693.tif 000023
【図８ｄ】
0005572693.tif 000024
【図９】
0005572693.tif 000025
【図１０】
0005572693.tif 000026
【図１１】
0005572693.tif 000027
【図１２】
0005572693.tif 000028